(57)【要約】【課題】  光ディスク装置において、主軸と軸受孔部との嵌合箇所でのがたつきを効果的に抑制することのできる制振機構を提供する。【解決手段】  回転駆動軸８の回転運動を光ピックアップ７の走行運動に変換するための走行駆動ユニット９が、光ピックアップ７に固着された基台部９１と、回転駆動軸８の歯部８２に噛み合わされた噛合い歯９３を有する板片部９２と、板片部９２を弾圧して噛合い歯８２を回転駆動軸８の歯部８２に押し付けているばね体９４とを有する。主軸５に摺動自在に当接された摺動面１１１を有する主軸押圧片１１０が基台部９１に連設されている。主軸押圧片１１０を弾圧することにより摺動面１１１を主軸５に押し付ける弾圧部材１２０を備える。弾圧部材１２０とばね体９４とが同一のコイルばねによって共用されている。【選択図】        図１
2011081876.tif 000002
【特許請求の範囲】
【請求項１】
ディスクの記録面を光学的に走査する光ピックアップと、この光ピックアップに設けられた軸受孔部に相対摺動自在に嵌合されてその走行を案内する主軸と、上記光ピックアップに設けられた支持部に相対摺動自在に係合して上記主軸による光ピックアップの走行案内作用を補助する副軸と、上記主軸及び上記副軸が取り付けられた可動シャーシと、この可動シャーシが昇降動可能に取り付けられたメインシャーシと、このメインシャーシに取り付けられた回転駆動軸と、この回転駆動軸の回転運動を上記光ピックアップの走行運動に変換するための走行駆動ユニットと、を備え、
上記走行駆動ユニットが、上記光ピックアップに固着された基台部と、上記回転駆動軸の歯部に噛み合わされた噛合い歯を有する弾性を備えた板片部と、この板片部を弾圧してその噛合い歯を上記回転駆動軸の歯部に押し付けているばね体とを有する光ディスク装置において、
上記主軸に摺動自在に当接された摺動面を有する弾性を備えた主軸押圧片が上記基台部に連設されていて、その主軸押圧片を弾圧することにより上記摺動面を上記主軸に押し付ける弾圧部材を備えることを特徴とする光ディスク装置の制振機構。
【請求項２】
上記板片部と上記主軸押圧片とが上記基台部と共に樹脂で一体成形されている請求項１に記載した光ディスク装置の制振機構。
【請求項３】
上記弾圧部材と上記ばね体とが同一のコイルばねによって共用されている請求項１又は請求項２に記載した光ディスク装置の制振機構。
【請求項４】
上記板片部と上記主軸押圧片とが、断面円形の上記主軸の半径方向に間隔を隔てて対向配備されていると共に、それらの板片部及び主軸押圧片のそれぞれに設けられたばね受け座面の相互間に上記コイルばねが圧縮状態で介在されている請求項３に記載した光ディスク装置の制振機構。
【請求項５】
主軸押圧片の上記摺動面が、上記光ピックアップによって光学的に走査されるディスクの記録面に対して交差する方向に傾斜した平坦面でなり、かつ、その摺動面が上記主軸を弾圧する作用を通じて、その主軸の外周面の周方向１箇所に定められている摺動基準点が上記軸受孔部の孔壁面に押し付けられるように構成されている請求項１ないし請求項４のいずれか１項に記載した光ピックアップの制振機構。
【請求項６】
上記走行駆動ユニットの基台部が、上記軸受孔部の下側で上記光ピックアップに固着されていて、その基台部から上向きに立ち上げられた上記主軸押圧片の頂部に上記摺動面が形成されていると共に、その主軸押圧片の高さ方向中間部に当該主軸押圧片の上記ばね受け座面が形成されている請求項４又は請求項５に記載した光ピックアップの制振機構。
【発明の詳細な説明】
【技術分野】
【０００１】
本発明は、光ディスク装置の制振機構、特に、光ピックアップの走行を案内する主軸とその相手方である軸受孔部との嵌合箇所でのがたつきを抑制するという対策が講じられた光ディスク装置の制振機構に関する。
【背景技術】
【０００２】
図３は光ディスク装置の要部の構成を示した概略平面図である。同図の光ディスク装置では、略矩形枠形のメインシャーシ（メカシャーシ）１の後端部の幅方向の２箇所に、略矩形枠形の可動シャーシ（トラバースシャーシ）２の後端部がゴム輪でなる弾性材３，３を介してビス（不図示）で連結されていて、それら２箇所の連結箇所４，４を支点として可動シャーシの先端側の自由端部が上下方向に回動して昇降するようになっている。図３の一点鎖線Ｌ−Ｌは、可動シャーシ２の昇降動作時の回動軸線を示している。
【０００３】
また、可動シャーシ２には、その幅方向両側に主軸５と副軸６とが配備されていて、それらのうち、主軸５には、光ピックアップ７の幅方向片側の間隔を隔てた２箇所に設けられている軸受孔部７１が相対摺動自在に嵌合されているのに対し、副軸６には光ピックアップ７の他側の１箇所に設けられている支持部７３が相対摺動自在に係合している。また、可動シャーシ２に図示していないターンテーブルが搭載されているのに対し、メインシャーシ１側には上記ターンテーブルと共働してディスクを挟持するクランパ（不図示）が備わっていて、可動シャーシ２が上記回動軸線Ｌ−Ｌを支点として上昇することによってクランパとターンテーブルとによってディスクが挟持されるようになっている。そして、この構成を備えた光ディスク装置では、クランパとターンテーブルとによって挟持されたディスクがターンテーブルと共に回転しているときに、光ピックアップ７が上記した主軸５や副軸６に案内されていディスクの半径方向に走行すると共に、その光ピックアップ７がディスクの記録面を光学的に走査する。
【０００４】
メインシャーシ１には、回転駆動軸８が取り付けられていて、この回転駆動軸８がメインシャーシ１に搭載されたモータ８１によって定位置で回転駆動されるようになっている。そして、光ピックアップ７に固着された走行駆動ユニット９の作用によって、回転駆動軸８の回転運動が光ピックアップ７の往復方向（矢印Ｓ）での直線走行運動に変換されて、上記のように光ピックアップ７が主軸５や副軸６に案内されてディスクの半径方向に走行する。
【０００５】
図４は従来例としての光ディスク装置に採用されていた回転駆動軸８と光ピックアップ７に固着されている走行駆動ユニット９とを示した要部の拡大断面図である。同図のように、走行駆動ユニット９は、光ピックアップ７にビス止めなどの適宜手段を介して固着されている基台部９１と、回転駆動軸８の歯部８２に噛み合わされた噛合い歯９３を有する弾性を備えた板片部９２と、この板片部９２を矢印Ｆ１方向に弾圧してその噛合い歯９３を回転駆動軸８の歯部８２に押し付けているコイルばねでなるばね体９４とを有している。さらに具体的には、ばね体９４が、基台部９１とこの基台部９１の側方に間隔を隔てて配備されている上記板片部９２とのそれぞれに形成されているばね受け座面９５，９６との相互間に圧縮状態で介在されている。そして、ばね体９４が板片部９２を弾圧して噛合い歯９３を回転駆動軸８の歯部８２に押し付けているのに対して、その反力が光ピックアップ７に対して定位置に位置している基台部９１側のばね受け座面９５によって受け止められている。
【０００６】
ここで、主軸５は表面平滑な断面円形の軸体によって形成されていて、２箇所の軸受孔部７１の円形孔７４を貫通している。そして、実質的には、主軸５と２箇所の軸受孔部７１との嵌合箇所が相対的に摺動することによって、光ピックアップ７が主軸５に案内されて走行するようになっている。したがって、主軸５と軸受孔部７１との嵌合箇所には、がたつきを生じない程度の寸法精度を具備させることが要求されている。これは、主軸５と軸受孔部７１との嵌合箇所の寸法精度の良否が、光ピックアップ７でディスクの記録面を光学的に走査させるときの光学性能に大きな影響を及ぼすからである。
【０００７】
これに対し、副軸６は、主軸５による光ピックアップ７の走行案内作用を補助する機能を有する。したがって、副軸６と支持部７３との係合箇所には、主軸５と軸受孔部７１との嵌合箇所に要求されるほどの寸法精度が要求されているわけではない。しかしながら、この係合箇所の寸法精度の良否も上記光学性能に影響を及ぼすので、その係合箇所にもそれほど大きながたつきが生じない程度の寸法精度が要求されることは勿論である。このような事情の下で、支持部７３は副軸６を抱き込むＵ字形に形成されたり、円形孔を有する孔部として形成されたりしている。
【０００８】
一方、光ディスク装置において、リードスクリューに側方から噛み合う歯を備えた噛合部材を光ピックアップの側面に取り付けることは知られている（たとえば、特許文献１参照）。また、光ピックアップの走行を主軸と副軸とによって案内させる光ディスク装置において、光ピックアップと副軸との係合箇所でのびびり振動を抑制するために、光ピックアップに取り付けたラックを送りネジに噛み合わせ、そのラックをコイルバネによって噛合い方向に付勢させると共に、主軸を支点とするコイルバネの反力のモーメントを光ピックアップの上記副軸との係合箇所に付与することも提案されている（たとえば、特許文献２参照）。さらに、ガイドシャフトによって走行が案内されるピックアップに設けた歯部をリードスクリューに弾性的に押し付けた状態で噛み合わせた場合に、歯部を有する部材が弾性に抗して後退して歯部の噛合いが解除されてしまうことを防ぐために、歯部を有する部材の後退を阻止する手段を設けることも知られている（たとえば、特許文献３参照）。
【先行技術文献】
【特許文献】
【０００９】
【特許文献１】特開２００８−２１０４４０号公報
【特許文献２】特開２００１−２１００２８号公報
【特許文献３】特開平１１−２２４４６９号公報
【発明の概要】
【発明が解決しようとする課題】
【００１０】
図３又は図４を参照して説明したように、主軸５と２箇所の軸受孔部７１との嵌合箇所には、設計上、がたつきを生じない程度の寸法精度が付与されているけれども、樹脂で成形された軸受孔部７１にはその円形孔７４に寸法公差が不可避的に存在するために、主軸５と軸受孔部７１との嵌合箇所にがたつきの原因になる微小なクリアランスの生じていることがある。そのため、ターンテーブルと共に回転するディスクが仮に偏重心を有している場合には、ディスクの回転に伴う振動に起因して、主軸５と軸受孔部７１との嵌合箇所でがたつきが発生し、そのがたつきが異音の発生につながったり光ディスク装置の光学性能に悪影響を及ぼしたりすることがある。このことから、軸受孔部７１に嵌合している主軸５のがたつきを抑制することは、異音の発生を防いだり光ディスク装置の光学性能の低下を防ぐ上で有益である。
【００１１】
そこで、上記のがたつきを抑制するためには、主軸５と軸受孔部７１との嵌合箇所の公差範囲を狭めた設計を行うことが役立つけれども、そのようにすると、金型製作のためのコストが高くつくだけでなく、主軸５に対する軸受孔部７１の摺動抵抗が大きくなってモータ８１に加わる付加が過大になるおそれがある。
【００１２】
本発明は、以上の状況に鑑みてなされたものであり、光ディスク装置において、主軸と軸受孔部との嵌合箇所に公差範囲内の微小なクリアランスが生じているとしても、振動に伴う嵌合箇所でのがたつきを効果的に抑制することのできるようにすると共に、軸受孔部の孔径公差範囲を緩和することが可能な制振機構を提供することを目的とする。
【００１３】
また、本発明は、新たな部品を追加することなく、走行駆動ユニットの構造を改変するだけで主軸と軸受孔部との嵌合箇所でのがたつきを抑制することのできる制振機構を提供することを目的とする。
【００１４】
さらに、本発明は、主軸と軸受孔部との嵌合箇所でのがたつきを抑制する作用を長期に亘って発揮させることのできる制振機構を提供することを目的とする。
【課題を解決するための手段】
【００１５】
本発明に係る制振機構が適用される光ディスク装置は、ディスクの記録面を光学的に走査する光ピックアップと、この光ピックアップに設けられた軸受孔部に相対摺動自在に嵌合されてその走行を案内する主軸と、上記光ピックアップに設けられた支持部に相対摺動自在に係合して上記主軸による光ピックアップの走行案内作用を補助する副軸と、上記主軸及び上記副軸が取り付けられた可動シャーシと、この可動シャーシが昇降動可能に取り付けられたメインシャーシと、このメインシャーシに取り付けられた回転駆動軸と、この回転駆動軸の回転運動を上記光ピックアップの走行運動に変換するための走行駆動ユニットと、を備え、上記走行駆動ユニットが、上記光ピックアップに固着された基台部と、上記回転駆動軸の歯部に噛み合わされた噛合い歯を有する弾性を備えた板片部と、この板片部を弾圧してその噛合い歯を上記回転駆動軸の歯部に押し付けているばね体とを有している。
【００１６】
光ディスク装置がこの構成を有していると、板片部に設けられた噛合い歯が、板片部を弾圧するばね体の作用によって回転駆動軸の歯部に常時押し付けられているので、回転駆動軸の歯部と板片部の歯部との噛合いが振動などの影響を受けても解除されにくくなり、回転駆動軸の回転運動が光ピックアップの走行運動に正確に伝達される。
【００１７】
本発明に係る制振機構は、上記主軸に摺動自在に当接された摺動面を有する弾性を備えた主軸押圧片が上記基台部に連設されていて、その主軸押圧片を弾圧することにより上記摺動面を上記主軸に押し付ける弾圧部材を備えている。
【００１８】
この構成を備えた制振機構によれば、走行駆動ユニットの基台部が光ピックアップに固着されていて、しかも、その基台部に連設されている主軸押圧片の摺動面が、光ピックアップの軸受孔部に嵌合されている主軸に弾性的に押し付けられていることにより、軸受孔部に主軸の外周面が一定方向から弾性的に常時押し付けられることになる。そのため、軸受孔部に不可避的な寸法公差が存在していても、偏重心を有するディスクの回転時などには軸受孔部の変位に主軸が追従して変位することによって主軸と軸受孔部との嵌合箇所のがたつきが抑制される。したがって、軸受孔部の孔径の公差範囲を緩和することができるようになる。なお、この発明において、「主軸押圧片を弾圧することにより摺動面を主軸に押し付ける弾圧部材」には、「板片部を弾圧してその噛合い歯を回転駆動軸の歯部に押し付けているばね体」が含まれることは勿論、「別のばね体」や「特有の弾性を発揮する樹脂で成形された主軸押圧片」も含まれる。
本発明では、上記板片部と上記主軸押圧片とが上記基台部と共に樹脂で一体成形されていることが望ましい。この構成を採用すると、主軸押圧片や板片部が走行駆動ユニットの基台部に一体化されて１つの部品として取り扱うことができるので、板片部や主軸押圧片を別部品として製作する必要がなくなって部品点数が増加することを回避できるという利点がある。
【００１９】
本発明では、上記弾圧部材と上記ばね体とが同一のコイルばねによって共用されていることが望ましい。この構成を採用すると、弾圧部材として上記した別部品である「別のばね体」を用いる必要がなくなって部品点数が増加することを回避できるという利点があるほか、主軸押圧片を樹脂で成形した場合に、主軸押圧片の弾性の劣化がばね体の弾性によって補われることになるので、経時によっても、あるいは、高温環境下でも、樹脂製の主軸押圧片のクリープ変形によって摺動面を介して主軸に付与される与圧が減衰するという事態が起こらなくなるという利点もある。
【００２０】
上記のように弾圧部材とばね体とを同一のコイルばねによって共用する構成を採用した場合には、上記板片部と上記主軸押圧片とが、断面円形の上記主軸の半径方向に間隔を隔てて対向配備されていると共に、それらの板片部及び主軸押圧片のそれぞれに設けられたばね受け座面の相互間に上記コイルばねが圧縮状態で介在されているという構成を採用することが望ましい。この構成であれば、圧縮状態のコイルばねの弾性復元作用が板片部と主軸押圧片との双方に効率よく及ぶ。
【００２１】
本発明では、主軸押圧片の上記摺動面が、上記光ピックアップによって光学的に走査されるディスクの記録面に対して交差する方向に傾斜した平坦面でなり、かつ、その摺動面が上記主軸を弾圧する作用を通じて、その主軸の外周面の周方向１箇所に定められている摺動基準点が上記軸受孔部の孔壁面に押し付けられるように構成されていることが望ましい。この構成であれば、摺動面が線接触状態で主軸の外周面に弾接するので、光ピックアップの走行時の摺動面と主軸とが線接触してそれらの接触部分での摺動抵抗が最少限度に抑えられる。そのため、回転駆動軸をの回転動力源であるモータに加わる負荷の増大も最少限度に抑えられるようになり、モータに過大な負荷が加わることが未然に防止される。
【００２２】
また、摺動面の弾圧作用によって、主軸の外周面の周方向１箇所に定められている摺動基準点が軸受孔部の孔壁面に押し付けられるように構成されていることによって、次に説明するような特別な作用が奏される。すなわち、光ピックアップによってディスクの記録面を高精度で光学的に処理するためには、光ピックアップの傾きを調整（チルト調整）してディスクの記録面に垂直に光が照射される必要がある。そして、そのチルト調整には、主軸の傾き調整を通じて光ピックアップの傾きを調整することが行われる。このチルト調整に際して、光ピックアップの傾きは上記した摺動基準点の位置に基づいて行われるので、上記のように主軸が軸受孔部の孔壁面の摺動基準点に押し付けられるようになっていると、走行中の光ピックアップの傾きが初期のチルト調整時のまま変わらずに維持されるようになり、ディスクの記録面の走査中に走行中の光ピックアップの傾きが変わって光学的な処理性能が損なわれるという事態を生じなくなる。
【００２３】
本発明では、上記走行駆動ユニットの基台部が、上記軸受孔部の下側で上記光ピックアップに固着されていて、その基台部から上向きに立ち上げられた上記主軸押圧片の頂部に上記摺動面が形成されていると共に、その主軸押圧片の高さ方向中間部に当該主軸押圧片の上記ばね受け座面が形成されていることが望ましい。この構成であると、軸受溝部に対する主軸の嵌合箇所の近くで、その主軸に傾斜面が弾接することになるので、主軸押圧片のサイズを小さくすることが容易になるだけでなく、摺動面の弾圧作用が、主軸を軸受孔部の孔壁面の摺動基準点に押し付けることに有効に使われることになる。また、主軸押圧片の高さ方向中間部にコイルばねの弾圧作用が加わるので、コイルばねの弾性復元力が摺動面にそのまま伝わるのではなく、コイルばねの弾性復元力が主軸押圧片に備わっている樹脂に特有の弾性により緩和されて摺動面に伝わる。そのため、摺動面が主軸を押圧する力がいたずらに大きくなって摺動抵抗が大きくなりすぎるという事態を回避することが可能になる。
【発明の効果】
【００２４】
以上のように、本発明に係る制振機構によれば、主軸と光ピックアップの軸受孔部との嵌合箇所に公差範囲内の微小なクリアランスが生じているとしても、振動に伴う嵌合箇所でのがたつきが抑制される。したがって、軸受孔部の孔径の公差範囲を緩和することができるようにもなる。それにももかかわらず、主軸と軸受孔部との嵌合箇所でのがたつきによって異音が発生するという事態が生じにくくなり、そのがたつきによって光学性能が損なわれたりする事態も生じにくくなる。その上、本発明によれば、新たな部品を追加することなく、走行駆動ユニットの構造を改変するだけで主軸と軸受孔部との嵌合箇所でのがたつきを抑制することができるので、組立工程が煩雑になることがなく、コスト高にもつながりにくい。さらに、本発明によれば、主軸と軸受孔部との嵌合箇所でのがたつきに起因して起こる種々のトラブルの発生などを長期に亘って抑制することが可能になるという効果も奏される。
【図面の簡単な説明】
【００２５】
【図１】本発明に係る制振機構Ａの拡大断面図である。
【図２】図１の要部を拡大した説明図である。
【図３】光ディスク装置の要部の構成を示した概略平面図である。
【図４】従来例としての光ディスク装置に採用されていた回転駆動軸や走行駆動ユニット９を示した要部の拡大断面図である。
【発明を実施するための形態】
【００２６】
図１は本発明に係る制振機構Ａの拡大断面図、図２は図１の要部を拡大した説明図である。
【００２７】
図１に示した制振機構Ａは、図４を参照して説明した走行駆動ユニット９の構造を改変することによって当該走行駆動ユニット９に具備されていて、その走行駆動ユニット９が発揮する作用を損なうことなく、軸受孔部７１に摺動自在に嵌合している主軸５のがたつきを抑制するという制振作用を発揮する。以下にその詳細を説明する。
【００２８】
制振機構Ａは、走行駆動ユニット９の基台部９１に連設されてその基台部９１から上向きに立ち上げられた板片状の主軸押圧片１１０を有し、その主軸押圧片１１０の頂部に、光ピックアップ７の軸受孔部７１に嵌合されている円形断面の主軸５に摺動自在に当接された摺動面１１１が形成されている。また、主軸押圧片１１０は、走行駆動ユニット９の板片部９２に、上記主軸５の半径方向Ｒに間隔を隔てて対向している。そして、主軸押圧片１１０の高さ方向Ｈの中間部にばね受け突起１１２が設けられ、そのばね受け突起１１２の根元の周囲にばね受け座面１１３が形成されている。これに対し、走行駆動ユニット９の板片部９２にもばね受け突起９７が設けられ、そのばね受け突起９７の根元の周囲にばね受け座面９６が形成されている。そして、それらの主軸押圧片１１０及び板片部９２のそれぞれのばね受け座面１１３，９８の相互間に、コイルばねでなる弾圧部材１２０が圧縮状態で介在されている。
【００２９】
ここで説明した制振機構Ａを具備する走行駆動ユニット９は、図３を参照して説明した光ディスク装置に適用されているのであって、図３に示した制振機構Ａを有していない走行駆動ユニット９と置き換えられている。したがって、図３によって明らかなように、主軸押圧片１１０が立ち上げられている走行駆動ユニット９の基台部９１が、２箇所の軸受孔部７１の下側でそれらに跨がる形態で光ピックアップ７に固着されている。このように、制振機構Ａを具備する走行駆動ユニット９の基台部９１を、２箇所の軸受孔部７１の下側で光ピックアップ７に固着しておくと、主軸押圧片１１０を基台部９１からまっすぐに立ち上げるだけで、その頂部の摺動面１１を主軸５に当接させることが可能になる。そのため、主軸押圧片１１０の高さサイズを短く抑えることが可能になるという利点がある。
【００３０】
主軸押圧片１１０は、板片部９２を一体に有する基台部９１と共に樹脂で一体成形されている。そのため、主軸押圧片１１０が基台部９１や板片部９２を有する走行駆動ユニット９に一体化され、主軸押圧片１１０が走行駆動ユニット９に追加されているとしても、部品点数は増加していない。
【００３１】
この実施形態によると、光ピックアップ７の軸受孔部７１に主軸５の外周面が一定方向から弾性的に常時押し付けられている。そのため、樹脂成形体でなる軸受孔部７１に不可避的な寸法公差が存在していても、偏重心を有するディスクの回転時などには軸受孔部７１の変位に主軸５が追従して変位することによって主軸５と軸受孔部７１との嵌合箇所のがたつきが抑制される。
【００３２】
図１又は図２のように、主軸押圧片１１０の摺動面１１１は、光ピックアップによって光学的に走査されるディスクの記録面（不図示）に対して交差する方向に傾斜した平坦面でなる。しかも、その摺動面１１１が主軸５を弾圧する作用を通じて、主軸５の外周面の周方向１箇所に定められている摺動基準面Ｐが軸受孔部７１の円形孔７４の孔壁面に押し付けられるように構成されている。ここでいう摺動基準点Ｐは、主軸の傾き角度を調整して光ピックアップ７の傾きを調整するという、所謂チルト調整を行う際の基準位置として用いられ、通常は、主軸５の外周面の頂点が摺動基準面Ｐとして定めている。
【００３３】
この実施形態では、摺動面１１１が平坦面でなるので、光ピックアップ７の走行時の摺動面１１１と主軸５とが線接触してそれらの接触部分での摺動抵抗が最少限度に抑えられる。そのため、回転駆動軸８の回転動力源であるモータ８１に加わる負荷の増大も最少限度に抑えられるようになり、モータ８１に過大な負荷が加わることが未然に防止される（図３参照）。
【００３４】
また、弾圧部材１２０の弾圧作用を受けて主軸５を弾圧する作用と、軸受孔部７１の孔壁面に主軸５の摺動基準点Ｐを押し付けるという作用と、の両方が摺動面１１１によって発揮されるようにしてある。すなわち、主軸５に対する摺動面１１１の当接位置を、主軸５の摺動基準点Ｐから９０度よりも大きくて１８０度よりも小さい隔たり角度を持つ位置に定めてある。具体的には、摺動面１１１の垂直線に対する傾斜角度を４５度とし、主軸５に対する摺動面１１１の当接位置を摺動基準点Ｐから１３５度の隔たり角度を持つ位置に定めてある。こうしておくと、図２に矢印Ｇで示したように摺動面１１１による直接的な弾圧力が主軸５の中心を向き、その分力である上向きの力Ｙ１が垂直上方に向くので、矢印Ｙで示したように摺動基準点Ｐが軸受孔部７１の孔壁面に押付けられるようになる。このように、摺動基準点Ｐが軸受孔部７１の孔壁面に弾圧されていると、走行中の光ピックアップの傾きが初期のチルト調整時のまま変わらずに維持されるようになるので、ディスクの記録面の走査中に走行中の光ピックアップの傾きが変わって光学的な処理性能が損なわれるという事態が生じなくなるという利点がある。
【００３５】
この実施形態では、走行駆動ユニット９の板片部９２と制振機構Ａの主軸押圧片１１０とが、それらに共通の１つのコイルばねでなる弾圧部材１２０によって互いに反対向き（矢印Ｆ１，Ｆ２に弾圧されている。そのため、上記したような主軸押圧片１１０の摺動面１１１で主軸５を弾圧させる作用と、板片部９２の噛合い歯９３を回転駆動軸８の歯部８２に押し付けさせる作用とが、１つの弾圧部材１２０によって発揮されている。したがって、この弾圧部材１２０は、主軸押圧片１１０を弾圧する作用だけでなく、板片部９２を弾圧することに用いられている図４に示したばね体９４の作用をも発揮している。このことから、この実施形態では、主軸押圧片１１０を弾圧するための弾圧部材１２０と板片部９２を弾圧するための図４のばね体９４とが、同一のコイルばねによって共用されていることになり、そのことが部品点数の増加を抑えることに役立っている。
【００３６】
この実施形態では、主軸押圧片１１０の高さ方向中間部に、弾圧部材１２０及びばね体９４（図４参照）に共用されているコイルばねの弾圧作用が加わるので、コイルばねの弾性復元力が摺動面１１１にそのまま伝わるのではなく、コイルばねの弾性復元力が主軸押圧片１１０に備わっている樹脂に特有の弾性により緩和されて摺動面１１１に伝わる。そのため、摺動面１１１が主軸５を押圧する力がいたずらに大きくなって摺動抵抗が大きくなりすぎるという事態が回避される。
【００３７】
この実施形態では、主軸押圧片１１０をコイルばねによって弾圧する事例を説明したけれども、主軸押圧片１１０を樹脂成形体によって形成したものでは、その樹脂成形体自体に備わっている特有の弾性によって主軸押圧片１１０の摺動面１１１を主軸５に弾接させる構成とすることも可能である。しかしながら、実施形態のようにコイルばねによって弾圧する構成を採用しておくと、主軸押圧片１１０の弾性の劣化がコイルばねの弾性によって補われることになるので、経時によっても、あるいは、高温環境下でも、摺動面１１１を介して主軸５に付与される与圧が減衰しなくなるという利点が生じる。
【００３８】
この実施形態による制振機構Ａが適用されている光ディスク装置は、図３を参照して先に説明したところと同様の構成を有している。したがって、光ディスク装置の構成そのものについては説明を省略して説明の重複を避けることにする。また、図１〜図４では、同一又は相応する要素に同一の符号を付してある。
【符号の説明】
【００３９】
１  メインシャーシ
２  可動シャーシ
５  主軸
６  副軸
７  光ピックアップ
８  回転駆動軸
９  走行駆動ユニット
７１  軸受孔部
８２  回転駆動軸の歯部
９１  基台部
９２  板片部
９３  噛合い歯
９４  ばね体
９８，１１３  ばね受け座面
１１０  主軸押圧片
１１１  摺動面
１２０  弾圧部材
Ｒ  主軸の半径方向
Ｐ  摺動基準点
【図１】
2011081876.tif 000003
【図２】
2011081876.tif 000004
【図３】
2011081876.tif 000005
【図４】
2011081876.tif 000006